(57)【特許請求の範囲】
【請求項１】
ユーザ機器（ＵＥ）との制御チャネルを確立するネットワークコンポーネントにおける方法であって、前記方法は、
前記ネットワークコンポーネントにより、前記ＵＥとのリンクレイヤチャネルを設定するステップと、
前記ネットワークコンポーネントにより、前記ＵＥへ前記リンクレイヤチャネルの識別子を送信するステップと、
前記ネットワークコンポーネントにより、ＷＬＡＮ（wireless  local  area  network）制御プロトコル（ＷＬＣＰ）を用いて前記リンクレイヤチャネルを介して前記ＵＥと通信するステップであって、前記ＷＬＡＮは信頼できるＷＬＡＮアクセスネットワーク（ＴＷＡＮ）を有する、ステップと、
を有し、
前記リンクレイヤチャネルの前記識別子は、前記ＴＷＡＮのインターネットプロトコル（ＩＰ）アドレスを有する、方法。
【請求項２】
前記ＵＥからマルチコネクションモードのための要求を受信するステップ、を更に有する請求項１に記載の方法。
【請求項３】
前記ＵＥからＷＬＣＰを介してＰＤＮ（packet  data  network）コネクション要求を受信するステップ、を更に有する請求項１又は２に記載の方法。
【請求項４】
前記ネットワークコンポーネントは、信頼できるＷＬＡＮアクセスゲートウェイ（ＴＷＡＧ）を有し、
前記ＴＷＡＧにより傾聴される専用Ｅｔｈｅｒｎｅｔマルチキャストアドレスを用いる、前記ＵＥが認証に成功したときＷＬＡＮ制御シグナリングプロトコル（ＷＬＣＰ）Ｉｎｉｔ指示を送信する、及びＥＡＰ（extensible  authentication  protocol）応答の中で前記ＵＥへ前記ＴＷＡＧのアドレスを送信する、のうちの１つにより前記ＵＥへ前記ＴＷＡＧのＭＡＣ（media  access  control）アドレスを提供するステップ、
を更に有する請求項１乃至３のいずれか一項に記載の方法。
【請求項５】
前記ネットワークコンポーネントにより、前記ＵＥへ前記リンクレイヤチャネルの識別子を送信するステップは、ＡＡＡ（authentication,  authorization  and  accounting）サーバ／プロキシにより、ＥＡＰ（extensible  authentication  protocol）メッセージの中で前記リンクレイヤチャネルの前記識別子を前記ＵＥへ送信するステップを有する、請求項１乃至４のいずれか一項に記載の方法。
【請求項６】
前記ＥＡＰメッセージはＥＡＰ要求を有する、請求項５に記載の方法。
【請求項７】
前記リンクレイヤチャネルの前記識別子を前記ＵＥへ送信するステップの前に、前記ＡＡＡサーバ／プロキシは、信頼できるＷＬＡＮアクセスゲートウェイ（ＴＷＡＧ）から前記リンクレイヤチャネルの前記識別子を得る、請求項５又は６に記載の方法。
【請求項８】
前記ネットワークコンポーネントにより、ＷＬＡＮ（wireless  local  area  network）制御プロトコル（ＷＬＣＰ）を用いて前記リンクレイヤチャネルを介して前記ＵＥと通信するステップは、ＥＡＰ手順中に受信した前記識別子により識別されるリンクチャネルを介して、前記ＵＥから、セッション管理メッセージを受信するステップを有する、請求項１乃至７のいずれか一項に記載の方法。
【請求項９】
前記ネットワークコンポーネントにより、ＷＬＡＮ（wireless  local  area  network）制御プロトコル（ＷＬＣＰ）を用いて前記リンクレイヤチャネルを介して前記ＵＥと通信するステップは、前記ＵＥから前記セッション管理メッセージを受信した後に、前記ＵＥへセッション管理メッセージを送信するステップを有する、請求項８に記載の方法。
【請求項１０】
前記セッション管理メッセージは、ＰＤＮ（packet  data  network）コネクション管理メッセージ、参加メッセージ、分離メッセージ、ハンドオーバメッセージ、及びＮＳＷＯ（Non−Seamless  WLAN  Offload）確立及び解放メッセージのうちの１つを有する、請求項８又は９に記載の方法。
【請求項１１】
特定のＰＤＮ（packet  data  network）コネクション及びＮＳＷＯ（Non−Seamless  WLAN  Offload）コネクションのうちの１つに関連する、前記ＵＥとサービング信頼できるＷＬＡＮアクセスゲートウェイ（ＴＷＡＧ）との間のポイントツーポイントリンクを識別するために用いられる識別子を送信するステップ、を更に有する請求項８乃至１０のいずれか一項に記載の方法。
【請求項１２】
前記ＴＷＡＧのＭＡＣアドレスは、ＰＤＮコネクション及びＮＳＷＯコネクションのうちの１つについて、前記ＵＥと前記ＴＷＡＧとの間で転送されるユーザプレーンパケットをカプセル化するために用いられる、請求項１１に記載の方法。
【請求項１３】
前記ＴＷＡＧは、前記ＵＥのＭＡＣアドレス及び前記ＴＷＡＧの前記ＭＡＣアドレスを用いて、前記ＵＥと前記サービングＴＷＡＧとの間の前記ポイントツーポイントリンクを識別し、前記ポイントツーポイントリンクをＰＤＮゲートウェイ（ＧＷ）又は前記ＰＤＮコネクションのＧＧＳＮ（gateway  general  packet  radio  service  support  node）へのトンネルと照合する、請求項１１に記載の方法。
【請求項１４】
前記方法は、マルチＰＤＮアクセス接続において適用される、請求項１乃至１３のいずれか一項に記載の方法。
【請求項１５】
ユーザ機器（ＵＥ）との制御チャネルを確立するネットワークコンポーネントであって、前記ネットワークコンポーネントは、
プロセッサと、
前記プロセッサによる実行のためのプログラミングを格納するコンピュータ可読記憶媒体と、
を有し、前記プログラミングは、
前記ＵＥとのリンクレイヤチャネルを設定し、
前記ＵＥへ前記リンクレイヤチャネルの識別子を送信し、
ＷＬＡＮ（wireless  local  area  network）制御プロトコル（ＷＬＣＰ）を用いて前記リンクレイヤチャネルを介して前記ＵＥと通信し、前記ＷＬＡＮは信頼できるＷＬＡＮアクセスネットワーク（ＴＷＡＮ）を有する、
命令を有し、
前記リンクレイヤチャネルの前記識別子は、前記ＴＷＡＮのインターネットプロトコル（ＩＰ）アドレスを有する、ネットワークコンポーネント。
【請求項１６】
前記プログラミングは、前記ＵＥからマルチコネクションモードのための要求を受信する命令を更に有する、請求項１５に記載のネットワークコンポーネント。
【請求項１７】
前記プログラミングは、前記ＵＥからＷＬＣＰを介してＰＤＮコネクション要求を受信する命令を更に有する、請求項１５又は１６に記載のネットワークコンポーネント。
【請求項１８】
前記ネットワークコンポーネントは、信頼できるＷＬＡＮアクセスゲートウェイ（ＴＷＡＧ）を有し、前記プログラミングは、前記ＴＷＡＧにより傾聴される専用Ｅｔｈｅｒｎｅｔマルチキャストアドレスを用いる、前記ＵＥが認証に成功したとき前記ＴＷＡＧがＷＬＡＮ制御シグナリングプロトコル（ＷＬＣＰ）Ｉｎｉｔ指示を送信する、及びＥＡＰ（extensible  authentication  protocol）応答の中で前記ＵＥへ前記ＴＷＡＧのアドレスを送信する、のうちの１つにより前記ＵＥへ前記ＴＷＡＧのＭＡＣ（media  access  control）アドレスを提供する命令を更に有する、請求項１５乃至１７のいずれか一項に記載のネットワークコンポーネント。
【請求項１９】
前記ＵＥへ前記リンクレイヤチャネルの識別子を送信する前記命令は、ＡＡＡ（authentication,  authorization  and  accounting）サーバ／プロキシにより、ＥＡＰ（extensible  authentication  protocol）メッセージの中で前記リンクレイヤチャネルの前記識別子を前記ＵＥへ送信する命令を有する、請求項１５乃至１８のいずれか一項に記載のネットワークコンポーネント。
【請求項２０】
前記ＥＡＰメッセージはＥＡＰ要求を有する、請求項１９に記載のネットワークコンポーネント。
【請求項２１】
前記リンクレイヤチャネルの前記識別子を前記ＵＥへ送信する前に、前記ＡＡＡサーバ／プロキシは、前記ＴＷＡＧから前記リンクレイヤチャネルの前記識別子を得る、請求項１９又は２０に記載のネットワークコンポーネント。
【請求項２２】
ＷＬＡＮ（wireless  local  area  network）制御プロトコル（ＷＬＣＰ）を用いて前記リンクレイヤチャネルを介して前記ＵＥと通信する前記命令は、ＥＡＰ手順中に受信した前記識別子により識別される前記リンクレイヤチャネルを介して、前記ＵＥから、セッション管理メッセージを受信する命令を有する、請求項１５乃至２１のいずれか一項に記載のネットワークコンポーネント。
【請求項２３】
ＷＬＡＮ（wireless  local  area  network）制御プロトコル（ＷＬＣＰ）を用いて前記リンクレイヤチャネルを介して前記ＵＥと通信する前記命令は、前記ＵＥから前記セッション管理メッセージを受信した後に、前記ＵＥへセッション管理メッセージを送信する命令を有する、請求項２２に記載のネットワークコンポーネント。
【請求項２４】
前記セッション管理メッセージは、ＰＤＮ（packet  data  network）コネクション管理メッセージ、参加メッセージ、分離メッセージ、ハンドオーバメッセージ、及びＮＳＷＯ（Non−Seamless  WLAN  Offload）確立及び解放メッセージのうちの１つを有する、請求項２２又は２３に記載のネットワークコンポーネント。
【請求項２５】
前記命令は、特定のＰＤＮ（packet  data  network）コネクション及びＮＳＷＯ（Non−Seamless  WLAN  Offload）コネクションのうちの１つに関連する、前記ＵＥとサービング信頼できるＷＬＡＮアクセスゲートウェイ（ＴＷＡＧ）との間のポイントツーポイントリンクを識別するために用いられる識別子を送信する命令、を更に有する、請求項２２乃至２４のいずれか一項に記載のネットワークコンポーネント。
【請求項２６】
前記ＴＷＡＧのＭＡＣアドレスは、ＰＤＮコネクション及びＮＳＷＯコネクションのうちの１つについて、前記ＵＥと前記ＴＷＡＧとの間で転送されるユーザプレーンパケットをカプセル化するために用いられる、請求項２５に記載のネットワークコンポーネント。
【請求項２７】
前記ＴＷＡＧは、前記ＵＥのＭＡＣアドレス及び前記ＴＷＡＧの前記ＭＡＣアドレスを用いて、前記ＵＥと前記サービングＴＷＡＧとの間の前記ポイントツーポイントリンクを識別し、前記ポイントツーポイントリンクをＰＤＮゲートウェイ（ＧＷ）又は前記ＰＤＮコネクションのＧＧＳＮ（gateway  general  packet  radio  service  support  node）へのトンネルと照合する、請求項２５に記載のネットワークコンポーネント。
【請求項２８】
前記ネットワークコンポーネントは、マルチＰＤＮアクセスコネクションにおいて、前記ＵＥと前記制御チャネルを確立するためのものである、請求項１５乃至２７のいずれか一項に記載のネットワークコンポーネント。
【請求項２９】
ネットワークコンポーネントとの制御チャネルを確立するユーザ機器（ＵＥ）における方法であって、前記方法は、
前記ＵＥにより、前記ネットワークコンポーネントからリンクレイヤチャネルの識別子を得るステップと、
前記ＵＥにより、ＷＬＡＮ（wireless  local  area  network）制御プロトコル（ＷＬＣＰ）を用いて前記リンクレイヤチャネルを介して前記ネットワークコンポーネントと通信するステップであって、前記ＷＬＡＮは信頼できるＷＬＡＮアクセスネットワーク（ＴＷＡＮ）を有する、ステップと、
を有し、
前記リンクレイヤチャネルの前記識別子は、前記ＴＷＡＮのインターネットプロトコル（ＩＰ）アドレスを有する、方法。
【請求項３０】
前記ネットワークコンポーネントは、信頼できるＷＬＡＮアクセスゲートウェイ（ＴＷＡＧ）及び信頼できるＷＬＡＮアクセスネットワーク（ＴＷＡＮ）のうちの１つを有する、請求項２９に記載の方法。
【請求項３１】
前記ＵＥにより、前記ネットワークコンポーネントから前記リンクレイヤチャネルの前記識別子を得るステップは、ＡＡＡ（authentication,  authorization  and  accounting）サーバ／プロキシからＥＡＰ（extensible  authentication  protocol）メッセージの中で前記リンクレイヤチャネルの前記識別子を受信するステップを有する、請求項２９又は３０に記載の方法。
【請求項３２】
前記ＥＡＰメッセージはＥＡＰ要求を有する、請求項３１に記載の方法。
【請求項３３】
前記ＡＡＡサーバ／プロキシは、信頼できるＷＬＡＮアクセスゲートウェイ（ＴＷＡＧ）から前記リンクレイヤチャネルの前記識別子を得る、請求項３１又は３２に記載の方法。
【請求項３４】
前記ＵＥにより、ＷＬＡＮ（wireless  local  area  network）制御プロトコル（ＷＬＣＰ）を用いて前記リンクレイヤチャネルを介して前記ネットワークコンポーネントと通信するステップは、前記ＵＥにより、ＷＬＣＰを用いてＩＰレイヤチャネルを介して前記ネットワークコンポーネントと通信するステップを有し、
前記ＵＥにより、ＷＬＣＰを用いてＩＰレイヤチャネルを介して前記ネットワークコンポーネントと通信するステップは、ＥＡＰ手順中に受信した前記識別子により識別されるリンクレイヤチャネルを介して、セッション管理メッセージを送信するステップを有する、
請求項２９乃至３３のいずれか一項に記載の方法。
【請求項３５】
前記セッション管理メッセージを送信するステップは、前記ＥＡＰ手順中に前記ＵＥにより受信したＭＡＣ（media  access  control）アドレスへセッション管理メッセージを送信する、前記ＥＡＰ手順中に前記ＵＥにより受信したＩＰアドレス又はポート番号を有するＩＰアドレスへ前記セッション管理メッセージを送信する、及びＩＰレイヤ宛先アドレスとして前記ＥＡＰ手順中に受信したＩＰアドレス又はポート番号を有するＩＰアドレスへ及びＭＡＣ（media  access  control）レイヤ宛先アドレスとしてＥＡＰ手順中に受信したＭＡＣアドレスへセッション管理メッセージを送信する、のうちの１つを有する、請求項３４に記載の方法。
【請求項３６】
前記セッション管理メッセージは、ＰＤＮコネクション管理メッセージ、参加メッセージ、分離メッセージ、ハンドオーバメッセージ、及びＮＳＷＯ（Non−Seamless  WLAN  Offload）確立及び解放メッセージのうちの少なくとも１つを有する、請求項３４又は３５に記載の方法。
【請求項３７】
前記ＵＥにより、ＷＬＡＮ（wireless  local  area  network）制御プロトコル（ＷＬＣＰ）を用いて前記リンクレイヤチャネルを介して前記ネットワークコンポーネントと通信するステップは、前記ＵＥにより、ＷＬＣＰを用いてＩＰレイヤチャネルを介して前記ネットワークコンポーネントと通信するステップを有し、
前記ＵＥにより、ＷＬＣＰを用いてＩＰレイヤチャネルを介して前記ネットワークコンポーネントと通信するステップは、特定のＰＤＮ（packet  data  network）コネクション又はＮＳＷＯ（Non−Seamless  WLAN  Offload）コネクションに関連する、前記ＵＥとサービング信頼できるＷＬＡＮアクセスゲートウェイ（ＴＷＡＧ）との間のポイントツーポイントリンクを識別するために用いられる識別子を受信するステップを有する、
請求項２９乃至３３のいずれか一項に記載の方法。
【請求項３８】
前記ＵＥとそのサービングＴＷＡＧとの間の前記ポイントツーポイントリンクを識別するために用いられる前記識別子は、前記ＴＷＡＧのＭＡＣ（media  access  control）アドレスを有する、請求項３７に記載の方法。
【請求項３９】
前記ＴＷＡＧの前記ＭＡＣアドレスは、ＰＤＮコネクション又はＮＳＷＯコネクションの、前記ＵＥと前記ＴＷＡＧとの間で転送されるユーザプレーンパケットをカプセル化するために用いられる、請求項３８に記載の方法。
【請求項４０】
前記方法は、マルチＰＤＮアクセスコネクションにおいて適用される、請求項２９乃至３９のいずれか一項に記載の方法。
【請求項４１】
ネットワークコンポーネントとの制御チャネルを確立するユーザ機器（ＵＥ）であって、前記ＵＥは、
プロセッサと、
前記プロセッサによる実行のためのプログラミングを格納するコンピュータ可読記憶媒体と、
を有し、前記プログラミングは、
前記ネットワークコンポーネントからリンクレイヤチャネルの識別子を得て、
ＷＬＡＮ（wireless  local  area  network）制御プロトコル（ＷＬＣＰ）を用いて前記リンクレイヤチャネルを介して前記ネットワークコンポーネントと通信し、前記ＷＬＡＮは信頼できるＷＬＡＮアクセスネットワーク（ＴＷＡＮ）を有する、
命令を有し、
前記リンクレイヤチャネルの前記識別子は、前記ＴＷＡＮのインターネットプロトコル（ＩＰ）アドレスを有する、ＵＥ。
【請求項４２】
前記ネットワークコンポーネントは、信頼できるＷＬＡＮアクセスゲートウェイ（ＴＷＡＧ）及び信頼できるＷＬＡＮアクセスネットワーク（ＴＷＡＮ）のうちの１つを有する、請求項４１に記載のＵＥ。
【請求項４３】
前記ネットワークコンポーネントから前記リンクレイヤチャネルの前記識別子を得る命令は、ＡＡＡ（authentication,  authorization  and  accounting）サーバ／プロキシからＥＡＰ（extensible  authentication  protocol）メッセージの中で前記リンクレイヤチャネルの前記識別子を受信する命令を有する、請求項４１又は４２に記載のＵＥ。
【請求項４４】
前記ＥＡＰメッセージはＥＡＰ要求を有する、請求項４３に記載のＵＥ。
【請求項４５】
前記ＡＡＡサーバ／プロキシは、信頼できるＷＬＡＮアクセスゲートウェイ（ＴＷＡＧ）から前記リンクレイヤチャネルの前記識別子を得る、請求項４３又は４４に記載のＵＥ。
【請求項４６】
ＷＬＡＮ（wireless  local  area  network）制御プロトコル（ＷＬＣＰ）を用いて前記リンクレイヤチャネルを介して前記ネットワークコンポーネントと通信する前記命令は、ＷＬＣＰを用いてＩＰレイヤチャネルを介して前記ネットワークコンポーネントと通信する命令を有し、
前記ＵＥにより、ＷＬＣＰを用いてＩＰレイヤチャネルを介して前記ネットワークコンポーネントと通信する命令は、ＥＡＰ手順中に受信した前記識別子により識別されるリンクレイヤチャネルを介して、セッション管理メッセージを送信する命令を有する、
請求項４１乃至４５のいずれか一項に記載のＵＥ。
【請求項４７】
前記セッション管理メッセージを送信する前記命令は、前記ＥＡＰ手順中に前記ＵＥにより受信したＭＡＣ（media  access  control）アドレスへセッション管理メッセージを送信する、前記ＥＡＰ手順中に前記ＵＥにより受信したＩＰアドレス又はポート番号を有するＩＰアドレスへ前記セッション管理メッセージを送信する、及びＩＰレイヤ宛先アドレスとして前記ＥＡＰ手順中に受信したＩＰアドレス又はポート番号を有するＩＰアドレスへ及びＭＡＣ（media  access  control）レイヤ宛先アドレスとしてＥＡＰ手順中に受信したＭＡＣアドレスへセッション管理メッセージを送信する、のうちの１つを有する、請求項４６に記載のＵＥ。
【請求項４８】
前記セッション管理メッセージは、ＰＤＮコネクション管理メッセージ、参加メッセージ、分離メッセージ、ハンドオーバメッセージ、及びＮＳＷＯ（Non−Seamless  WLAN  Offload）確立及び解放メッセージのうちの少なくとも１つを有する、請求項４６又は４７に記載のＵＥ。
【請求項４９】
ＷＬＡＮ（wireless  local  area  network）制御プロトコル（ＷＬＣＰ）を用いて前記リンクレイヤチャネルを介して前記ネットワークコンポーネントと通信する命令は、ＷＬＣＰを用いてＩＰレイヤチャネルを介して前記ネットワークコンポーネントと通信する命令を有し、
ＷＬＣＰを用いてＩＰレイヤチャネルを介して前記ネットワークコンポーネントと通信する命令は、特定のＰＤＮ（packet  data  network）コネクション又はＮＳＷＯ（Non−Seamless  WLAN  Offload）コネクションに関連する、前記ＵＥとサービング信頼できるＷＬＡＮアクセスゲートウェイ（ＴＷＡＧ）との間のポイントツーポイントリンクを識別するために用いられる識別子を受信する命令を有する、
請求項４１乃至４５のいずれか一項に記載のＵＥ。
【請求項５０】
前記ＵＥとそのサービングＴＷＡＧとの間の前記ポイントツーポイントリンクを識別するために用いられる前記識別子は、前記ＴＷＡＧのＭＡＣ（media  access  control）アドレスを有する、請求項４９に記載のＵＥ。
【請求項５１】
前記ＴＷＡＧの前記ＭＡＣアドレスは、ＰＤＮコネクション又はＮＳＷＯコネクションの、前記ＵＥと前記ＴＷＡＧとの間で転送されるユーザプレーンパケットをカプセル化するために用いられる、請求項５０に記載のＵＥ。
【請求項５２】
前記ＵＥは、マルチＰＤＮアクセスコネクションにおいて、前記ネットワークコンポーネントと前記制御チャネルを確立するためのものである、請求項４１乃至５１のいずれか一項に記載のＵＥ。
【請求項５３】
コンピュータに請求項１乃至１４のいずれか一項に記載の方法を実行させるプログラム。
【請求項５４】
コンピュータに請求項２９乃至４０のいずれか一項に記載の方法を実行させるプログラム。
【発明の詳細な説明】
【技術分野】
【０００１】
（関連出願の相互参照）
本願は、米国非仮特許出願番号第１４／１４６,１０７号、２０１４年１月２日出願、名称「Systems  and  Methods  for  Accessing  a  Network」、及び米国仮特許出願番号第６１／７４８,６６２号、２０１３年１月３日出願、名称「System  and  Method  for  Accessing  a  Network」の優先権を主張する。これらの出願は、参照することによりそれらの全体が本願明細書に組み込まれる。
【０００２】
本発明は、無線通信のためのシステム及び方法に関し、特定の実施形態では、ネットワークにアクセスするシステム及び方法に関する。
【背景技術】
【０００３】
無線ローカルエリアネットワーク（ＷＬＡＮ）のような３ＧＰＰ  Ｓ２ａネットワークでは、アクセスポイント名（ＡＰＮ）を含むパケットデータネットワーク（ＰＤＮ）コネクション及びネットワークセッション受付、ハンドオーバ、等のシグナリングを可能にする、ユーザ機器（ＵＥ）とアクセスゲートウェイ（例えば、信頼性のあるＷＬＡＮアクセスゲートウェイ（ＴＷＡＧ））との間のシグナリングメカニズムが存在しない。現在サポートされているＵＥ変更がないので、ＵＥは、ＩＰ（Internet  protocol）レイヤ要求しか送信できず、或いは、ＩＰｖ６では、構成として規定のルータ／ゲートウェイがＩＰプレフィックス／アドレスを供給するのを待つだけである。
【発明の概要】
【課題を解決するための手段】
【０００４】
一実施形態によると、ユーザ機器（ＵＥ）との制御チャネルを確立するネットワークコンポーネントにおける方法であって、前記方法は、前記ネットワークコンポーネントにより、前記ＵＥとのリンクレイヤチャネルを設定するステップと、前記ネットワークコンポーネントにより、前記ＵＥへ前記リンクレイヤチャネルの識別子を送信するステップと、前記ネットワークコンポーネントにより、ＷＬＡＮ（wireless  local  area  network）制御プロトコル（ＷＬＣＰ）を用いて前記リンクレイヤチャネルを介して前記ＵＥと通信するステップであって、前記ＷＬＡＮは信頼できるＷＬＡＮアクセスネットワーク（ＴＷＡＮ）を有する、ステップと、を有する。
【０００５】
一実施形態によると、ユーザ機器（ＵＥ）との制御チャネルを確立するネットワークコンポーネントは、プロセッサと、前記プロセッサによる実行のためのプログラミングを格納するコンピュータ可読記憶媒体と、を有し、前記プログラミングは、前記ＵＥとのリンクレイヤチャネルを設定し、前記ＵＥへ前記リンクレイヤチャネルの識別子を送信し、ＷＬＡＮ（wireless  local  area  network）制御プロトコル（ＷＬＣＰ）を用いて前記リンクレイヤチャネルを介して前記ＵＥと通信し、前記ＷＬＡＮは信頼できるＷＬＡＮアクセスネットワーク（ＴＷＡＮ）を有する、命令を有する。
【０００６】
一実施形態では、マルチＰＤＮ（packet  data  network）アクセスのための制御チャネルを無線ネットワークコンポーネントと確立する、ユーザ機器（ＵＥ）における方法は、ＵＥにより、ＵＥ識別子を得るステップと、ＵＥにより無線ネットワークコンポーネントとＰＤＮコネクションを設定するステップと、ＵＥにより無線ネットワ―クコンポーネントの無線ネットワークコンポーネント識別子を得るステップと、ＵＥによりＷＬＡＮ（wireless  local  area  network）制御プロトコル（ＷＬＣＰ）を用いてＩＰ（internet  protocol）レイヤを介して無線ネットワークコンポーネントと通信するステップと、を有する。
【０００７】
一実施形態によると、マルチＰＤＮ（packet  data  network）アクセスのための制御チャネルを無線ネットワークコンポーネントと確立するユーザ機器（ＵＥ）は、プロセッサと、前記プロセッサによる実行のためのプログラミングを格納するコンピュータ可読記憶媒体と、を有し、前記プログラミングは、ＵＥ識別子を得て、前記無線ネットワークコンポーネントとＰＤＮコネクションを設定し、前記無線ネットワ―クコンポーネントの無線ネットワークコンポーネント識別子を得て、ＷＬＡＮ（wireless  local  area  network）制御シグナリングプロトコル（ＷＬＣＰ）を用いてＩＰ（internet  protocol）レイヤチャネルを介して前記無線ネットワークコンポーネントと通信する、命令を有する。
【図面の簡単な説明】
【０００８】
本発明並びにその利点のより完全な理解のため、添付の図と共に以下の説明を参照する。
【図１】Ｌ２パスを介した制御シグナリングのための実施形態のアーキテクチャを示す。
【図２】ＷＣＳプロトコル（ＷＬＣＰ）を用いてシグナリングするために協調する機能エンティティを示す実施形態のシステムを示す。
【図３】ＥＡＰ認証の第１の手順を示す。
【図４Ａ】ＵＥ認証中のＷＬＣＰプロトコルチャネルの構成、又はＷＬＣＰチャネル−Ｌ２  Ｐ２ＰリンクＩＤ構成のための実施形態の方法を示す。
【図４Ｂ】ＵＥ認証中のＷＬＣＰプロトコルチャネルの構成、又はＷＬＣＰチャネル−Ｌ２  Ｐ２ＰリンクＩＤ構成のための実施形態の方法を示す。
【図５Ａ】Ｎ３ＧＰＰネットワークの中のＵＥをネットワーク／ＱＰＮのセットに参加させるステップのシーケンスの実施形態の方法を示す。
【図５Ｂ】Ｎ３ＧＰＰネットワークの中のＵＥをネットワーク／ＱＰＮのセットに参加させるステップのシーケンスの実施形態の方法を示す。
【図６】Ｎ３ＧＰＰネットワークの中のＵＥのコネクション又は分離をリリースするための実施形態の方法を示す。
【図７】Ｌ３を介した制御シグナリングのための実施形態の方法を示す。
【図８Ａ】Ｌ３を介したＷＬＣＰのための実施形態の方法を示す。
【図８Ｂ】Ｌ３を介したＷＬＣＰのための実施形態の方法を示す。
【図９】一実施形態に従う、例えば本願明細書に記載される装置及び方法を実施するために使用され得るコンピューティングプラットフォームを示す。
【発明を実施するための形態】
【０００９】
前述の好適な実施形態の生成及び使用は、以下に詳述する。しかしながら、理解されるべきことに、本発明は、広範な特定の状況で実施できる多くの適用可能な新規な概念を提供する。議論される特定の実施形態は、本発明を生成し使用する特定の方法を単に説明するものであり、本発明の範囲を制限しない。
【００１０】
３ＧＰＰ  ＳａＭＯＧ  ｓｔｕｄｙフェーズ１では、ＡＰＮ及びＰＤＮコネクションは、認証中に選択されたＳＳＩＤ（service  set  identification）、ユーザプロファイルの中の認証中にダウンロードされた構成、等に基づき、暗黙のうちに合意している。この暗黙的合意は、ＷＬＡＮアクセスネットワークの中で単一の認可されたネットワークセッションのためにＵＥと第１のホップルータ（３ＧＰＰにおける信頼できるＷＬＡＮアクセスゲートウェイ（ＴＷＡＧ））との間でシグナリングされる必要のある３ＧＰＰ  ＥＰＣ（enhanced  packet  core）の中に複数のＰＤＮコネクションが存在するときは十分ではない。単一のＰＤＮコネクションでも、構成エラー及び仮定に基づく構成を回避できる明示的シグナリングには価値がある。
【００１１】
一実施形態では、本願明細書で用いられるように、信頼できるＷＬＡＮでは、少なくとも２つの関係がある。１つは、ＷＬＡＮプロバイダと３ＧＰＰ  ＥＰＣプロバイダとの間のものであり、１つは、ＵＥと３ＧＰＰ  ＥＰＣプロバイダとの間のものである。信頼できない例では、ＵＥと３ＧＰＰ  ＥＰＣプロバイダとの間の関係、及びＵＥとＷＬＡＮプロバイダとの間の関係がある。ＷＬＡＮとＥＰＣプロバイダとの間の信頼関係の欠如は、信頼できないと表される。一方で、ＵＥとＷＬＡＮの両者が３ＧＰＰ  ＥＰＣプロバイダとの信頼関係を有する信頼できる関係では、ＷＬＡＮネットワークは信頼できるプロキシネットワークである。
【００１２】
一実施形態は、複数のＰＤＮアクセスコネクション（つまり、マルチコネクションモード）のためのＷＬＡＮ制御シグナリングを提供する。実施形態は、ＷＬＡＮ制御シグナリング（WLAN  control  signaling：ＷＣＳ）プロトコル（WCS  protocol：ＷＬＣＰ）に基づくソリューションを提供し、ＵＥを特定ネットワーク（例えば、ＡＰＮ）に接続させ、完全な参加／分離、及びハンドオーバシーケンスを提供する。本願明細書で用いられるように、用語ＷＣＳ及びＷＬＣＰは、同義的に用いられる場合が多い。
【００１３】
一実施形態は、３ＧＰＰ  ＥＰＣ（Enhanced  Packet  Core）の中のＰＤＮコネクションに対応するＷＬＡＮネットワークの中のセッションリソースを確立及び解放するレイヤ２プロトコル−ＷＬＣＰの制御チャネルを設定する。種々の実施形態は、ＷＬＣＰサーバ（ＴＷＡＧ）のＭＡＣ（media  access  control）アドレスがＵＥに提供される３つのメカニズムを提供する。
【００１４】
ＷＬＣＰ  ＭＡＣアドレスをＵＥに構成／ブートストラップするために、現在の提案は、ブロードキャストを使用することである。これは非効率であり得る。種々の実施形態は、３つの方法、つまりマルチキャスト、初期構成又はＥＡＰ（extensible  authentication  protocol）拡張に基づく構成を提供する。ＥＡＰ拡張を用いるＷＬＣＰのための制御チャネルの構成は、構成の観点から、より効率的且つ完全である。実施形態は、３ＧＰＰ  ＥＰＣに参加したＷＬＡＮネットワーク等の中で実施されても良い。
【００１５】
一実施形態の、ＷＬＣＰのレイヤ２（Ｌ２）メカニズムは、レイヤ２プロトコルのための制御チャネルを設定する。ＷＬＣＰは、３ＧＰＰ  ＥＰＣの中のＰＤＮコネクションに対応するＷＬＡＮネットワークの中のセッションリソースを確立及び解放する。
【００１６】
一実施形態のＷＬＣＰは、初期参加、ハンドオーバ、及びＰＤＮコネクションのコネクション解放をサポートする。ＷＬＣＰは、以下のパラメータの交換を可能にする。第１に、ＵＥからネットワークへ：ＡＰＮ／ＮＳＷＯ（Non-Seamless  WLAN  Offload）指示、ＰＣＯ（Protocol  Configuration  Options）、及び要求種類（初期／ハンドオーバ）、である。第２に、ネットワークからＵＥへ：ポイントツーポイントリンク識別子、また、ＡＰＮ、ＰＣＯ、又はＵＥのＩＰアドレスも含んでも良い。第３に、ＩＭＳＩ、ＮＡＩ、ＵＥのＭＡＣアドレス、又はネットワークの中のＵＥの他の識別情報のような他のパラメータである。
【００１７】
これは、３ＧＰＰ  ＥＰＣの中の複数のＰＤＮコネクションに対応するＷＬＡＮの中のリソースを構成するために、ＵＥがＷＬＣＰを使用できるようにする。ＷＬＣＰをブートストラップするために、以下が処理される。第１に、リンクレイヤチャネルが設定される。リンクレイヤチャネルを介して、ＵＥ及びゲートウェイ（ＴＷＡＧ）はＷＬＣＰを用いて通信できる。リンクレイヤチャネルは、特定のＶＬＡＮ（virtual  local  area  network）、ＧＲＥ（generic  routing  encapsulation）、ＳＮＡＰ（sub-network  access  protocol）ヘッダ又はその他であっても良い。このＷＬＣＰトランスポートチャネルの値は、ＵＥへ送信される。第２に、メカニズムは、ＵＥが、ＵＥからゲートウェイ（ＴＷＡＧ）への第１のＷＬＣＰメッセージのためにゲートウェイ（ＴＷＡＧ）のＭＡＣアドレスを決定できるようにする。
【００１８】
特定のＭＡＣアドレスがＵＥに割り当てられ、それ自体がＷＬＣＰトランスポートチャネルとして用いられても良い。この場合、別のリンクレイヤチャネルは必要ない。各ＵＥは、ＷＬＣＰトランスポートチャネルのために用いられる異なるＭＡＣアドレスを割り当てられ、或いは、幾つかのＵＥは、同じＭＡＣアドレスを供給し、ネットワークはＵＥ  ＩＤと一緒にＵＥを区別する。
【００１９】
一実施形態では、ユーザ機器（ＵＥ）との制御チャネルを確立するネットワークコンポーネントにおける方法は、ネットワークコンポーネントにより、リンクレイヤチャネルの識別子をＵＥへ送信するステップと、ネットワークコンポーネントにより、ＷＬＡＮ（wireless  local  area  network）制御プロトコル（ＷＬＣＰ）を用いてリンクレイヤチャネルを介してＵＥと通信するステップと、を有する。方法は、ＵＥからマルチコネクションモードのための要求を受信するステップも有しても良い。さらに、方法は、ＵＥからＷＬＣＰ  ＰＤＮ（packet  data  network）コネクション要求を受信するステップを有しても良い。一実施形態では、ＴＷＡＧのＭＡＣアドレスは、ＴＷＡＧにより傾聴される専用Ｅｔｈｅｒｎｅｔ（登録商標）マルチキャストアドレスを用いることにより、ＵＥに提供される。これは、ＵＥが認証に成功すると、ＴＷＡＧがＷＬＣＰ  Ｉｎｉｔ指示を送信するステップを有しても良い。ＴＷＡＧのＭＡＣアドレスをＵＥに提供するステップは、ＥＡＰ（extensible  authentication  protocol）応答により、ＴＷＡＧのアドレスをＵＥへ送信するステップにより達成されても良い。
【００２０】
一実施形態では、ＴＷＡＧのようなネットワークコンポーネントは、リンクレイヤチャネルの識別子をＵＥへ送信することは、ＡＡＡ（authentication,  authorization  and  accounting）サーバ／プロキシにより、ＥＡＰ（extensible  authentication  protocol）メッセージの中でリンクチャネルの識別子をＵＥへ送信するステップを有する。ＥＡＰメッセージは、ＥＡＰ要求を有しても良い。一実施形態では、リンクチャネルの識別子をＵＥへ送信するステップの前に、ＡＡＡサーバ／プロキシは、ＴＷＡＧからリンクチャネルの識別子を得る。リンクチャネルの識別子は、信頼できるＷＬＡＮアクセスゲートウェイ（ＴＷＡＧ）及び信頼できるＷＬＡＮアクセスネットワーク（ＴＷＡＮ）のうちの一方のＭＡＣ（media  access  control）アドレスを有しても良い。一実施形態では、リンクチャネルの識別子は、ＩＰ（internet  protocol）アドレス、又は信頼できるＷＬＡＮアクセスゲートウェイ（ＴＷＡＧ）及び信頼できるＷＬＡＮアクセスネットワーク（ＴＷＡＮ）のうちの１つのポート番号を有するＩＰ（internet  protocol）アドレスを有しても良い。
【００２１】
一実施形態では、ＵＥは、ＷＬＡＮ（wireless  local  area  network）制御プロトコル（ＷＬＣＰ）を用いてリンクレイヤチャネルを介して、ＴＷＡＧのようなネットワークコンポーネントと通信する。一実施形態では、この通信は、ＥＡＰ手順中に受信した識別子により識別されるリンクチャネルを介して、ＵＥからセッション管理メッセージを受信するステップを有する。この通信は、ＵＥからセッション管理メッセージを受信するステップの後に、セッション管理メッセージをＵＥへ送信するステップを有しても良い。一実施形態では、セッション管理メッセージは、ＰＤＮ（packet  data  network）コネクション管理メッセージ、参加メッセージ、分離メッセージ、ハンドオーバメッセージ、及びＮＳＷＯ（Non-Seamless  WLAN  Offload）確立及び解放メッセージのうちの少なくとも１つを有する。
【００２２】
一実施形態では、ＵＥとＴＷＡＧとの間の通信は、特定のＰＤＮ（packet  data  network）コネクション及びＮＳＷＯ（Non-Seamless  WLAN  Offload）コネクションのうちの１つに関連する、ＵＥとサービング信頼できるＷＬＡＮアクセスゲートウェイ（ＴＷＡＧ）との間のポイントツーポイントリンクを識別するために用いられる識別子を送信するステップを有する。一実施形態では、ＵＥとＴＷＡＧとの間のポイントツーポイントリンクを識別するために用いられる識別子は、ＴＷＡＧのＭＡＣ（media  access  control）アドレスを有する。ＴＷＡＧのＭＡＣアドレスは、ＰＤＮコネクション及びＮＳＷＯコネクションのうちの１つについて、ＵＥとＴＷＡＧとの間で転送されるユーザプレーンパケットをカプセル化するために用いられても良い。一実施形態では、ＴＷＡＧは、ＵＥのＭＡＣアドレス及びＴＷＡＧのＭＡＣアドレスを用いて、ＵＥとサービングＴＷＡＧとの間のポイントツーポイントリンクを識別し、ポイントツーポイントリンクをＰＤＮゲートウェイ（ＧＷ）又はＰＤＮコネクションのＧＧＳＮ（gateway  general  packet  radio  service  support  node）へのトンネルと照合する。
【００２３】
一実施形態では、マルチＰＤＮ（packet  data  network）アクセスのための制御チャネルを無線ネットワークコンポーネントと確立する、ユーザ機器（ＵＥ）における方法は、ＵＥにより、ＵＥ識別子を得るステップと、ＵＥにより無線ネットワークコンポーネントとＰＤＮコネクションを設定するステップと、ＵＥにより無線ネットワ―クコンポーネントの無線ネットワークコンポーネント識別子を得るステップと、ＵＥによりＷＬＣＰを用いてＩＰ（internet  protocol）レイヤチャネルを介して無線ネットワークコンポーネントと通信するステップと、を有する。ネットワークコンポーネントは、信頼できるＷＬＡＮアクセスゲートウェイ（ＴＷＡＧ）及び信頼できるＷＬＡＮアクセスネットワーク（ＴＷＡＮ）のうちの１つを有する。ＵＥ識別子は、ＵＥ  ＩＰアドレスを有しても良く、無線ネットワークコンポーネント識別子（例えば、ＴＷＡＧ識別子）は、無線ネットワークコンポーネントのＩＰアドレスを有しても良い。一実施形態では、無線ネットワークコンポーネント識別子を得るステップは、ＵＥとネットワークコンポーネントとの間のリンクチャネルの識別子を受信するステップを有する。一実施形態では、ＵＥとネットワークコンポーネントとの間のリンクチャネルの識別子を受信するステップは、ＡＡＡ（authentication,  authorization  and  accounting）サーバ／プロキシからＥＡＰ（extensible  authentication  protocol）メッセージの中でリンクチャネルの識別子を受信するステップを有する。一実施形態では、ＡＡＡサーバ／プロキシは、信頼できるＷＬＡＮアクセスゲートウェイ（ＴＷＡＧ）からリンクチャネルの識別子を得る。ＵＥによりＷＬＣＰを用いてＩＰレイヤチャネルを介して無線ネットワークコンポーネントと通信するステップは、ＥＡＰ（extensible  authentication  protocol）手順中に受信した識別子により識別されるリンクチャネルを介してセッション管理メッセージを送信するステップを有しても良い。一実施形態では、セッション管理メッセージを送信するステップは、ＥＡＰ手順中にＵＥにより受信されたＭＡＣ（media  access  control）アドレスへセッション管理メッセージを送信するステップを有する。
【００２４】
一実施形態では、セッション管理メッセージを送信するステップは、ＥＡＰ手順中にＵＥにより受信されたＩＰアドレス又はポート番号を有するＩＰアドレスへセッション管理メッセージを送信するステップを有する。一実施形態では、セッション管理メッセージを送信するステップは、ＩＰレイヤ宛先アドレスとしてＥＡＰ手順中に受信されたＩＰアドレス又はポート番号を有するＩＰアドレスへ、及びＭＡＣレイヤ宛先アドレスとしてＥＡＰ手順中に受信されたＭＡＣ（media  access  control）アドレスへ、セッション管理メッセージを送信するステップを有する。セッション管理メッセージは、ＰＤＮコネクション管理メッセージ、参加メッセージ、分離メッセージ、ハンドオーバメッセージ、及びＮＳＷＯ（Non-Seamless  WLAN  Offload）確立及び解放メッセージのうちの少なくとも１つを有しても良い。一実施形態では、ＵＥによりＷＬＣＰを用いてＩＰレイヤチャネルを介して無線ネットワークコンポーネントと通信するステップは、特定のＰＤＮコネクション又はＮＳＷＯ（Non-Seamless  WLAN  Offload）コネクションに関連するＵＥとサービング信頼できるＷＬＡＮアクセスゲートウェイ（ＴＷＡＧ）との間のポイントツーポイントリンクを識別するために用いられる識別子を受信するステップを有し、ＵＥとそのサービングＴＷＡＧとの間のポイントツーポイントリンクを識別するために用いられる識別子は、ＴＷＡＧのＭＡＣ（media  access  control）アドレスを有しても良い。一実施形態では、ＴＷＡＧのＭＡＣアドレスは、ＰＤＮコネクション又はＮＳＷＯコネクションの、ＵＥとＴＷＡＧとの間で転送されるユーザプレーンパケットをカプセル化するために用いられる。他の実施形態では、任意のＶＬＡＮ  ＩＤの特定の値、Ｌ２  ＧＲＥキー、信頼できるＷＬＡＮアクセスネットワーク（ＴＷＡＮ）のＳＮＡＰヘッダは、ＭＡＣアドレスの代わりに又はそれに加えて、ＵＥとそのサービングＴＷＡＧとの間のポイントツーポイントリンクを識別するために用いることができる。ＵＥとそのサービングＴＷＡＧとの間のポイントツーポイントリンクを識別するためにＭＡＣアドレス以外のこれらの他のオプションを用いることにより、ＭＡＣアドレスは、ＷＬＣＰ及びＰＤＮコネクション／ＮＳＷＯコネクションの両方のリンクを識別することに関与しても良い。
【００２５】
図１は、Ｌ２パスを介した制御シグナリングのための実施形態のアーキテクチャ１００を示す。アーキテクチャ１００は、アプリケーション／サービスレイヤ１０２、ユーザ機器（ＵＥ）、無線アクセスポイント（ＡＰ）１０６、ＴＷＡＧ１０８、及びＰＤＮゲートウェイ（ＧＷ）１１０を有する。無線ＡＰ及びＴＷＡＧは、信頼できるＷＬＡＮアクセスネットワーク（ＴＷＡＮ）のコンポーネントである。Ｌ２  Ｐ２ＰリンクＩＤは、ＶＬＡＮ  ＩＤ、ＭＡＣアドレス、Ｅｔｈｅｒｎｅｔ（登録商標）上のキーのあるＧＲＥ、新しい３ＧＰＰ固有ＬＣＣ／ＳＮＡＰヘッダ、等を有する。一実施形態では、固有ＶＬＡＮ  ＩＤ、Ｅｔｈｅｒｎｅｔ（登録商標）上のキーのあるＧＲＥ、又はＬＣＣ／ＳＮＡＰヘッダは、ＰＤＮ／ＮＳＷＯコネクションを分離するユーザプレーンの識別子であり得る。ＵＥ１０４は、ＰＤＮコネクション及びＮＳＷＯコネクションを有し、ＴＷＡＧ１０８とのＷＬＡＮ制御シグナリングをサポートする。制御プレーンプロトコルスタックは、ＷＬＡＮ制御シグナリングを伝達する。一実施形態では、アーキテクチャ１００は、Ｌ３パスを介した制御シグナリングもサポートしても良い。しかしながら、ＷＬＣＰメッセージはＩＰヘッダ（特定宛先ＩＰアドレス、又はＴＷＬＡＮにより割り当てられる）によりカプセル化されるが、Ｌ３ヘッダはルーティングできない場合がある。したがって、ＷＬＣＰメッセージの指示子としてＩＰヘッダを有するメッセージを伝達するために、Ｌ２パスを使用することが望ましい。ＵＥは、自己割り当てアドレスを含む任意のアドレスを、ＴＷＡＮへのメッセージパケットのソースアドレスとして使用できる。
【００２６】
図２は、ＷＬＣＰを用いてシグナリングするために協調する機能エンティティを示す実施形態のシステム２００を示す。システム２００は、ＵＥ２０２、ＷＬＡＮ  ＡＰ２０４、信頼できるＷＬＡＮ  ＡＡＡ（authentication,  authorization,  and  accounting）プロキシ（ＴＷＡＰ）２０６、ＴＷＡＧ（２０８）、及びＡＡＡサーバ／プロキシ２１０を有する。ＵＥは、アプリケーションコンポーネント２１２、ＥＡＰクライアント（ＥＡＰ−Ｃ）２１４、ＷＬＣＰクライアント（ＷＣＳ−Ｃ）２１６、コネクションマネジャ２１８、及びフォワーダ２２０を有する。ＷＬＡＮ  ＡＰ２０４は、ＥＡＰトランスポートコンポーネント２２２を有する。ＴＷＡＰ２０６は、ＥＡＰプロキシ（ＥＡＰ−Ｐ）コンポーネント２２４及びＷＬＣＰチャネルエージェント２２６を有する。ＴＷＡＧ２０８は、ＷＬＣＰチャネル構成コンポーネント２２８、ＷＬＣＰサーバ（ＷＣＳ−Ｓ）コンポーネント２３０、コネクション制御部２３２、及びルーティング制御部２３４を有する。ＷＬＣＰチャネル構成コンポーネント２２８は、ＷＬＣＰチャネルエージェント２２６と通信する。この通信は、直接又は仲介物を通じても良い。ＷＬＣＰチャネル構成コンポーネントとＷＬＣＰチャネルエージェント２２６との間の通信の正確な方法は、異なる実施形態の間で異なっても良い。
【００２７】
ＵＥ２０２は、ゲートウェイ（ＴＷＡＧ）２０８の中のＷＣＳ−Ｓ２３０と通信するＷＣＳ−Ｃ２１６を有する。ユーザによりトリガされたアプリケーション２１２は、コネクションマネジャ２１８にＷＬＣＰシグナリングを開始させる。ＷＬＣＰ２３８を使用する前に、ＷＬＣＰ２３８は構成される。本実施形態では、ＥＡＰ及びＡＡＡ（authentication,  authorization  and  accounting）プロトコル（ＲＡＤＩＵＳ（remote  authentication  dial  in  user  service）／Diameter）は、この情報を交換するために使用される。
【００２８】
上位の動作シーケンスは次の通りである。例えばＥＡＰ−ＫＡ’を使用するＵＥ２０２の認証シーケンス中、ＵＥ２０２がマルチＰＤＮセットアップをシグナリングする（又はそれが可能である）場合、ＴＷＡＰ２０６の中のＷＣＳチャネルエージェント２２６は、ＷＣＳチャネル構成（構成器）２２８に、特に制御チャネルシグナリングのための適切なレイヤ２ポイントツーポイントリンクを返すよう要求する。これは、本願明細書でＷＣＳ制御チャネル（ＷＣＣ）２３８として表される。ＴＷＡＰ２２４は、ＷＣＣ２３８を得て、これをＡＡＡサーバ２１０へＲＡＤＩＵＳ／Ｄｉａｍｅｔｅｒパラメータとして送信する。
【００２９】
ＡＡＡサーバ２１０が、ＵＥ２０２が自身はマルチＰＤＮセットアップが可能であることをシグナリングするＥＡＰ−ＡＫＡ’認証シーケンスをＵＥ２０２から受信し、ＴＷＡＰ２２４がＤｉａｍｅｔｅｒ／ＲＡＤＩＵＳの中でＷＣＣを送信すると、ＡＡＡは、ＵＥ２１０に、ＥＡＰ拡張パラメータとしてＷＣＣ２３８で応答する。ＵＥ２０２の中のＥＡＰクライアント１２４は、このパラメータを受信して、後のＷＬＣＰ２３８メッセージの中で使用するためにＷＣＳ−Ｃ２１６へ送信する。
【００３０】
ＵＥ２０２は、ＴＷＡＧ２０８のＭＡＣアドレスを、ＥＡＰ拡張パラメータとして得る（ＷＬＣＰチャネルと同様）。或いは、ＴＷＡＧ２０８は、ＭＡＣアドレスを発見するために、ＵＥ２０２のＷＬＣＰチャネル２３８の中でＩｎｉｔを送信する。ＴＷＡＰ２０６が（ＵＥ２０２認証について）ＥＡＰ成功を受信すると、ＷＣＳチャネルエージェント２２６は、ＷＣＣ  ＩＤ（Ｌ２  Ｐ２ＰリンクＩＤ）をコミットするために、ＴＷＡＧ２０８（ＷＣＳチャネル構成２２８）へ通知を送信する。ＴＷＡＧの場合。ＥＡＰ−ＡＫＡ’認証方法は一実施形態において記載されたが、他の実施形態では、ＥＡＰ−ＡＫＡ、ＥＡＰ−ＳＩＭ、等が同様に使用されても良い。
【００３１】
図３は、ＥＡＰ認証の第１の手順３００を示す。ＥＡＰ認証では、ネットワークは、サーバアドレス（例えば、ドメイン名、ＩＰアドレス、ポート番号を有するＩＰアドレス、等）又はＷＬＡＮ制御シグナリングに使用されるＬ２  Ｐ２ＰリンクＩＤをＵＥ３０２へ送信する。これは、ＷＬＡＮへの初期参加、及びＷＬＡＮへのハンドオーバで生じ得る。ＷＬＡＮ制御シグナリングのＬ２  Ｐ２Ｐリンクは、ユーザプレーンのＬ２  Ｐ２Ｐリンク又はユーザプレーンのＬ３  Ｐ２Ｐトンネルのために使用され得る。ユーザプレーンのＬ２  Ｐ２Ｐリンク又はユーザプレーンのＬ３  Ｐ２Ｐトンネルは、ＰＤＮコネクション又はＮＵＥ３０２のＳＷＯ分離のために使用される。ＵＥ３０２がＩＰアドレス（例えば、ＮＳＷＯ  ＩＰアドレス）を受信した後、ＵＥは、ＷＬＡＮ制御シグナリングのサーバに接続し、ＰＤＮコネクションの確立、解放又は分離のためにサーバと通信しても良い。Ｌ３を介した制御シグナリングの他の手順又はＬ２の制御シグナリングに似ている。
【００３２】
ＷＬＣＰチャネル（Ｌ２  Ｐ２ＰリンクＩＤ）ブートストラップフローシーケンスに関して、図４Ａ及び４Ｂは、ＵＥ認証中のＷＬＣＰチャネルの構成又はＷＬＣＰチャネル−Ｌ２  Ｐ２ＰリンクＩＤ構成のための実施形態の方法４００を示す。図４Ａ及び４Ｂにおいて、ＷＬＣＰ制御チャネルは、「Ｌ２  Ｐ２ＰリンクＩＤ」’（レイヤ２ポイントツーポイントリンク識別子）として識別される。Ｌ２  Ｐ２Ｐリンクは、ＶＬＡＮ、Ｌ２  ＧＲＥ、ＳＮＡＰヘッダ、固有ＭＡＣ又は別のメカニズムに基づいても良い。ＷＬＣＰのＬ２  Ｐ２ＰリンクＩＤは、ステップ４、５で、非３ＧＰＰアクセス４０４（ＴＷＡＧ、信頼できるＷＬＡＮ  ＡＡＡプロキシ（ＴＷＡＰ））からＡＡＡプロキシ４０６及びＡＡＡサーバ４０８へ、（ＥＡＰ  ＲＳＰ又はＡＡＡシグナリングのパラメータとして）送信され、ステップ１３ａ、１３ｂ、１４で、ＡＡＡプロキシ４０６及びＡＡＡサーバ４０８からＵＥ４０２へ、（ＥＡＰ−ＲＥＱのパラメータとして）送信されても良い。ＡＡＡプロキシ４０６は、幾つかの実施形態においては任意である。
【００３３】
代替で、ＷＬＣＰのＬ２  Ｐ２ＰリンクＩＤは、ステップ１７ａ、１７ｂで、非３ＧＰＰアクセス４０４（ＴＷＡＧ、ＴＷＡＰ）からＡＡＡサーバ４０８へ、（ＥＡＰ  ＲＳＰ又はＡＡＡシグナリングのパラメータとして）送信され、ステップ２３ａ、２３ｂ、２４で、ＡＡＡサーバ４０８からＵＥ４０２へ、（ＥＡＰ−Ｓｕｃｃｅｓｓのパラメータとして）送信されても良い。この代替では、ＥＡＰ−Ｓｕｃｃｅｓｓは、パラメータを伝達できるように拡張される必要があり得る。Ｌ２  Ｐ２ＰリンクＩＤ構成（制御チャネル構成）は、ＵＥ４０２認証が成功したときのみ、有効である。
【００３４】
図４Ａ及び４Ｂでは、ＷＬＡＮ制御シグナリングのリンクレイヤチャネルの識別子としてのＬ２  Ｐ２ＰリンクＩＤは、ステップ４、ステップ５で非３ＧＰＰアクセス４０４（ＴＷＡＧ）からＡＡＡへ（ＥＡＰ−ＲＳＰ又はＡＡＡシグナリングのパラメータとして）送信され、ステップ１３ａ、ステップ１３ｂ、ステップ１４でＡＡＡからＵＥへ（ＥＡＰ−ＲＥＱのパラメータとして）送信されても良い。或いは、ＷＬＡＮ制御シグナリングのＬ２  Ｐ２ＰリンクＩＤは、ステップ１７ａ、ステップ１７ｂで非３ＧＰＰアクセス（ＴＷＡＧ）からＡＡＡへ（ＥＡＰ−ＲＳＰ又はＡＡＡシグナリングのパラメータとして）送信され、ステップ２３ａ、ステップ２３ｂ、ステップ２４でＡＡＡからＵＥへ（ＥＡＰ−Ｓｕｃｃｅｓｓのパラメータとして）送信されても良い。しかし、これは制限ではない。つまり、ＡＡＡサーバがＷＬＡＮ制御シグナリングのＬ２  Ｐ２ＰリンクＩＤを得る限り、ＡＡＡサーバは、利用可能な任意のステップで、Ｐ２ＰリンクＩＤをＵＥへ送信できる。ＥＡＰ−Ｓｕｃｃｅｓｓは、パラメータを伝達できるように拡張されても良い。いずれかの方法でＵＥがＷＬＡＮ制御シグナリングのＬ２  Ｐ２ＰリンクＩＤを得ると、ＵＥは、認証が成功したときのみそれを使用する。
【００３５】
ＴＷＡＧ発見／構成に関して、ＷＬＣＰを通信するためのチャネルに追加して、ＵＥ４０２はＴＷＡＧを発見する必要があっても良い。ＵＥ４０２がＴＷＡＧ  ＭＡＣアドレスを決定する多数のオプションがある。第１に、ＵＥ４０２から初期要求をマルチキャストすることである。これは、（ブロードキャストと比べて効率的な）Ｅｔｈｅｒｎｅｔ（登録商標）マルチキャストアドレス空間からのＥｔｈｅｒｎｅｔ（登録商標）マルチキャストアドレスの良く知られたアドレス又は割り当てとして、事前構成を必要としても良い。
【００３６】
第２に、（ＴＷＡＮ）の中のＷＬＣＰサーバ（例えば、非３ＧＰＰアクセス４０４）は、ＩｎｉｔをＵＥ４０２へ送信することにより、ＷＬＣＰシグナリングを開始する。この代替では、ＴＷＡＰは、ＥＡＰ−ＳｕｃｃｅｓｓをＡＡＡサーバ４０８から受信すると、ＷＬＣＰサーバ（ＴＷＡＧ）（例えば、非３ＧＰＰアクセス４０４）へ指示を送信する。（ＴＷＡＮ）の中のＷＬＣＰサーバ（例えば、非３ＧＰＰアクセス４０４）は、ＥＡＰ−Ｓｕｃｃｅｓｓのこの指示／情報を使用して、ＷＬＣＰ  Ｉｎｉｔメッセージをトリガする。ＷＬＣＰ  Ｉｎｉｔメッセージは、ＵＥ４０２からのＷＬＣＰメッセージを受信すると期待される同じＭＡＣアドレスから送信される。
【００３７】
第３に、ＷＬＣＰサーバ（ＴＷＡＧ）（例えば、非３ＧＰＰアクセス４０４）ＭＡＣをＥＡＰ−ＡＫＡ応答メッセージの中で提供する。この場合、ＷＬＣＰサーバ（ＴＷＡＧ）（例えば、非３ＧＰＰアクセス４０４）は、（ＷＬＣＰチャネルＩＤと同様の方法で）ＭＡＣアドレスをＴＷＡＰに提供する。ＴＷＡＰは、このＭＡＣアドレスをＡＡＡサーバ４０８へ送信する。次に、ＡＡＡサーバ４０８は、これをＥＡＰ拡張パラメータとして追加し（ＲＦＣ４１８７）、ＥＡＰ応答の中でＵＥ４０２へ送信する。
【００３８】
初期参加／ハンドオーバ／コネクション確立フローシーケンスに関して、図５Ａ及び５Ｂは、非３ＧＰＰ  Ｎ３ＧＰＰネットワークの中のＵＥがネットワーク／ＡＰＮのセットに参加できるようにするステップのシーケンスの実施形態の方法５００を示す。Ｎ３ＧＰＰネットワークは、例えばＷＬＡＮ、ＷｉＭＡＸ等のような３ＧＰＰで定められた技術を使用しないアクセスネットワークである。
【００３９】
ＰＤＮコネクション確立又はＮＳＷＯでは、ＵＥ５０２は、ネットワークとＰＤＮコネクションパラメータを通信するために、ＷＬＡＮ制御シグナリングのためのＬ２  Ｐ２Ｐリンクを使用する。ＵＥ５０２により送信されるパラメータは、ＡＰＮ／ＮＳＷＯ指示、ＰＣＯ、及び要求タイプを有する。ＵＥ５０２へ送信されるパラメータは、ＡＰＮ／ＮＳＷＯ指示、ＰＣＯ、及びＬ２  Ｐ２ＰリンクＩＤを有する。ＵＥ５０２とネットワークとの間の通信は、ＵＥ  ＩＥ（ＩＭＳＩ、ＮＡＩ又はネットワークにより割り当てられたＵＥの暫定ＩＤ）を有し得る。（ＧＴＰに基づくＳ２ａでは）ＰａｒｔＡ又は（ＰＭＩＰに基づくＳ２ａでは）ＰａｒｔＢが実行される。
【００４０】
以下のステップのシーケンスは、ＷＬＡＮの中でＰＤＮアクセスコネクション／ＮＳＷＯを構成するために使用される。これは、Ｓ２ａ  ＷＬＡＮへの初期参加又はハンドオーバにおいて前述したように、ＵＥのＥＡＰ認証の後に生じても良い。
【００４１】
ステップ１で、ＵＥ５０２のＷＬＣＰチャネルは、ＡＰ５０４を介して（上述のような）ＴＷＡＧと通信するよう構成される。この構成の末に、ＵＥ５０２の中のＷＬＣＰクライアントは、ＴＷＡＧ５０６へシグナリングメッセージを送信するためのＬ２  Ｐ２Ｐ  ＩＤ（ＷＬＣＰチャネルＩＤ）を有する。
【００４２】
ステップ２、３で、ＵＥ５０２−ＴＷＡＧ５０６は、ＡＰＮ（又は他のＰＤＮ  ＩＤ）／ＮＳＷＯ、ＰＣＯ、要求タイプ（初期要求／ハンドオーバ）及び他のシグナリングパラメータを用いて、ＰＤＮコネクション又はＮＳＷＯを設定する。ＵＥ５０２とＴＷＡＧ５０６との間の会話は、ＷＬＣＰチャネル（Ｌ２  Ｐ２Ｐ）を介する。ＴＷＡＧ５０６は、確立されているＰＤＮコネクション又はＮＳＷＯに対してＰ２ＰリンクＩＤで応答する。後続のユーザプレーンＩＰレイヤシグナリング／データは、ＰＤＮコネクション又はＮＳＷＯのためのこの確立されたＰ２Ｐリンクを介して送信できる。ＵＥが新しい追加ＰＤＮ接続を要求する場合には要求タイプは「初期要求」を示し、ＵＥ５０２が他のアクセスからのハンドオーバを実行しているとき及びＵＥ５０２がアクセスを介してＰＤＮとの接続を既に確立しているときは要求タイプは「ハンドオーバ」を示す。
【００４３】
ステップ３でＵＥのＰＤＮ  ＩＰアドレスがネットワークにより割り当てられる場合、ステップ５及びステップ１０は実行されないかも知れず、ＰａｒｔＡ又はＰａｒｔＢのステップ６〜９は、ステップ２とステップ３との間で実行される。
【００４４】
ステップ５で、ＵＥ５０２は、新たに生成されたＰ２Ｐリンクの中でＩＰ構成要求（必要な場合には、ＩＰｖ４  ＤＨＣＰ要求又はＩＰｖ６ルータ要請）を送信する。ステップ６〜９で、ＴＷＡＧは、ＰＤＮ  ＧＷと相互作用して、３ＧＰＰ  ＥＰＣ（Enhanced  Packet  Core）の中でＰＤＮコネクションの対応するＧＴＰ／ＰＭＩＰセグメントを構成する。（ＴＷＡＧ５０６とＰＤＮ  ＧＷ５０８との間のＧＴＰに基づくインタフェースでは）ＰａｒｔＡ又は（ＰＭＩＰに基づく場合には）ＰａｒｔＢが実行される。ＩＰｖ６では、ルータ要請は任意である。したがって、ステップ６は、ステップ４の完了（ＰＤＮコネクションのＰ２Ｐリンクの生成の完了）の結果としてトリガされる。
【００４５】
ステップ１０で、ＴＷＡＧ５０６は、このＰＤＮコネクションのために確立されたＰ２Ｐリンクを介してＩＰアドレス／プレフィックスを構成する。この点で、ＵＥ５０２は、このＰＤＮコネクションのトラフィックを送信／受信できる。ＵＥ５０２は、別のＰＤＮコネクションを確立するために上述のシーケンス（ステップ２〜１０）を繰り返すことができる。ハンドオーバでは、要求タイプがハンドオーバに設定される点を除いて上述と同じシーケンスが使用される。
【００４６】
ＵＥ５０２では、ステップ２、ステップ６〜９のＮＳＷＯを示すステップは実行されず、データパケットは、ステップ４で確立されたＬ２  Ｐ２Ｐリンクを介してＵＥ５０２とインターネットとの間でＴＷＡＧ５０６を直接通過する。留意すべきことに、ＵＥ５０２とＴＷＡＧ５０６との間のＰＤＮコネクションのためにステップ２〜３で確立されたＰ２Ｐリンクは、ＩＰ上のトンネルであり得る。
【００４７】
コネクション解放及び分離フローシーケンスに関して、図６は、Ｎ３ＧＰＰネットワークの中のＵＥのためのコネクションを解放する又は分離する実施形態の方法６００を示す。一実施形態では、特に断らない限り、ＵＥ６０２、ＡＰ６０４、ＴＷＡＧ６０６、ＰＤＮ  ＧＷ６０８、ｖＰＣＲＦ（visited  Policy  and  Charging  Rule  Function）６１０、ＡＡＡプロキシ６１２、ｈＰＣＲＦ（home  Policy  and  Charging  Rule  Function）６１４、及びＨＳＳ（home  subscriber  server）／ＡＡＡ６１６は、図５Ａ及び５ｂに記載の同様のコンポーネントと同様の方法の同様のコンポーネント及び機能である。ｖＰＣＲＦ６１０及びｈＰＣＲＦ６１４は、ＱｏＳ及の中央制御及び課金（charging）ポリシのために使用される。ＡＡＡプロキシは、ローミングの場合に、ＵＥと訪問先ネットワークの中の（ホームネットワークの中の）ＡＡＡサーバとの間で認証メッセージを転送するために使用される。ＨＳＳは、ホームネットワークにおけるユーザ加入者データを格納し、要求されると該データをＡＡＡサーバへ送信しても良い。以下のステップのシーケンスは、ＰＤＮアクセスコネクション又は分離を完全に解放するために使用される。
【００４８】
ステップ１で、ＵＥ６０２は、この要求（ＡＰＮ（ＰＤＮ  ＩＤ）／ＮＳＷＯ／分離）を、ＡＰ６０４を通じてＴＷＡＧ６０へ、ＵＥ６０２のために構成されたＬ２  Ｐ２Ｐリンクを介して送信することにより、コネクション解放（ＰＤＮコネクション又はＮＳＷＯ）又は分離を開始する。代替で、ネットワークＴＷＡＧ６０６は、ステップ１ａで、コネクション解放（ＰＤＮコネクション又はＮＳＷＯ）又は分離を開始しても良い。
【００４９】
ＰＤＮコネクション解放又は分離では、ＴＷＡＧ６０６は、３ＧＰＰ  ＥＰＣにおける解放メカニズムを開始する（ステップ２〜５）。ＮＳＷＯ解放では、ステップ２〜５は実行されない。
【００５０】
ステップ６で、ＴＷＡＧ６０６は、ステップ１、解放のためにＵＥ６０２に応答する。或いは、ステップ６ａで、ＵＥ６０２は、ステップ１ａ、ＴＷＡＧ６０６に応答する。ネットワークは、長い時間の間、ＵＥと通信していない場合、ＵＥ６０２を完全に分離しても良い。ネットワーク（ＴＷＡＧ６０６）は、暗黙的分離のために、分離要求（分離タイプ）メッセージをＵＥ６０２へ送信しない。
【００５１】
ステップ７で、ＰＤＮコネクション／ＮＳＷＯのＬ２  Ｐ２Ｐリンクは、解放される。続いて、ＷＬＡＮ固有リソースも解放され得る。分離では、ＵＥ６０２のＷＬＣＰのために構成されたＬ２  Ｐ２Ｐリンクは、このステップで解放される。Ｌ２  Ｐ２Ｐリンクリソース（ＩＤリソースを含む）は、ＰＤＮコネクション解放又はＮＳＷＯ解放又はＵＥ６０２の分離の後に、他のＵＥ６０２のために使用されても良い。
【００５２】
ステップ１及びステップ６は、ＵＥ６０２がＰＤＮコネクション解放又は分離を開始した。ステップ１ａ及びステップ６ａは、ネットワークがＰＤＮコネクション解放又は分離を開始した。ネットワークは、長い時間の間、ＵＥ６０２と通信していない場合、ＵＥ６０２を完全に分離しても良い。ネットワーク（ＴＷＡＧ６０６）は、暗黙的分離のために、分離要求（分離タイプ）メッセージをＵＥ６０２へ送信しない。
【００５３】
ＰＤＮ  ＩＤは、ＡＰＮ、Ｌ２  Ｐ２ＰリンクＩＤ、及びネットワーク若しくはＵＥ６０２により割り当てられたＰＤＮコネクション又はＮＳＷＯの暫定セッションＩＤを有し得る。
【００５４】
ステップ２〜５は、ＮＳＷＯ解放では実行されない。Ｌ２  Ｐ２Ｐリンクリソース（ＩＤリソースを含む）は、ＰＤＮコネクション解放又はＮＳＷＯ解放又はＵＥの分離の後に、他のＵＥ６０２のために使用され得る。Ｌ２パス上の制御シグナリングを介する分離手順は任意である。
【００５５】
別の実施形態は、レイヤ３に基づく制御チャネルシグナリングを有するレイヤ３（Ｌ３）プロトコルを利用する。上述のＬ２制御チャネルシグナリングと異なり、ＷＬＣＰサーバのＩＰアドレス／ドメイン名が（Ｌ２制御チャネルの代わりに）構成される。Ｌ３制御チャネル設定では、ＴＷＡＰ／ＴＷＡＧは、上述と同様の認証手順の中で、制御チャネルシグナリングのためのＩＰレイヤインタフェースのＷＬＣＰサーバのＩＰアドレス／ドメイン名をＵＥに返す。ＷＬＣＰサーバのポートも、そのＩＰアドレスと共にＵＥへ送信されても良い。また、ＷＬＣＰサーバは、ＴＷＡＧに統合されても良い。統合されない場合、ＷＬＣＰサーバは、必要な情報を交換するために、ＴＷＡＧとのインタフェースを有するだろう。
【００５６】
図７は、Ｌ３を介した制御シグナリングのための実施形態の方法７００を示す。ＥＡＰ認証では、ネットワークは、ＷＬＡＮ制御シグナリングのために使用されるサーバアドレス（ドメイン名、ＩＰアドレス）をＵＥ７０２へ送信する。これは、ＷＬＡＮへの初期参加又はＷＬＡＮへのハンドオーバの中で生じても良い。ＵＥ７０２がＩＰアドレス（例えば、ＮＳＷＯ  ＩＰアドレス）を受信した後、ＵＥ７０２は、ＷＬＡＮ制御シグナリングのサーバに接続し、ＰＤＮコネクションの確立又は解放又は分離のためにＴＷＡＮの中のサーバと通信しても良い。手順の残りの部分は、先の実施形態で説明したものと同様である。一実施形態では、特に断らない限り、ＵＥ７０２、ＰＤＮ  ＧＷ７０６、ｖＰＣＲＦ７０８、ＡＡＡプロキシ７１０、ｈＰＣＲＦ７１２、ＨＳＳ／ＡＡＡ７１４は、図６の同様のコンポーネントと同様であり、同様の方法で機能しても良い。
【００５７】
図８Ａ及び８Ｂは、Ｌ３を介したＷＬＣＰのための実施形態の方法８００を示す。以下のステップのシーケンスは、Ｌ３  ＷＬＡＮ制御シグナリングを介してＰＤＮアクセスコネクションを構成するために使用される。これは、Ｓ２ａ  ＷＬＡＮへの初期参加又はハンドオーバにおいて前述したように、ＵＥのＥＡＰ認証の後に生じても良い。ＵＥ８０２は、ＡＰ８０４を介して、ＴＷＡＧ８０６及び他のコンポーネントと通信する。一実施形態では、ＵＥ８０２、ＡＰ８０４、ＴＷＡＧ８０６、ＷＬＣＰサーバ８０８、ＰＤＮ  ＧＷ８１０、ｖＰＣＲＦ８１２、ＡＡＡプロキシ８１４、ｈＰＣＲＦ８１６、及びＨＳＳ／ＡＡＡ８１８は、図７の同様のコンポーネントと同様であっても良く、特に断りのある場合を除き同様の方法で機能しても良い。
【００５８】
ステップ１で、ＵＥ８０２は、（通常、ＮＳＷＯの）ＩＰアドレスを得る。ＵＥ８０２の中のＷＬＣＰクライアントは、Ｌ３ルーティング能力を有し、シグナリングメッセージをＷＬＣＰサーバ８０８へ送信し得る。このステップで、ＵＥのＮＳＷＯ  ＩＰアドレスのルーティングは、ＵＥ８０２がＷＬＣＰサーバ８０８にのみアクセスできるように、制限されても良い。
【００５９】
ステップ２、３で、ＵＥ８０２−ＴＷＡＧ８０６は、ＡＰＮ（又は他のＰＤＮ  ＩＤ）、ＰＣＯ、要求タイプ（初期要求／ハンドオーバ）及び他のシグナリングパラメータを用いて、ＰＤＮコネクションを設定する。ＴＷＡＧ８０６（ＷＬＣＰサーバ８０８）のアドレスは、上述のような認証手順の中で得られる。ＷＬＣＰをＷＬＣＰサーバ８０８へ送信する前に、ＵＥ８０２が認証手順の中でＷＬＣＰサーバ８０８のドメイン名を得る場合、ＵＥ８０２は、ＤＮＳクエリによりＷＬＣＰサーバ８０８のＩＰアドレスを得ても良い。ＵＥ８０２とＷＬＣＰサーバ８０８（ＴＷＡＧ８０６）との間の会話は、Ｌ３を介し、暗号化され及び／又は保護された統合（integration  protected）であっても良い。ＴＷＡＧ８０６は、確立されているＰＤＮコネクションに対してＰ２ＰリンクＩＤで応答する。後続のユーザプレーンＩＰレイヤシグナリング／データは、ＰＤＮコネクションのためのこの確立されたＰ２Ｐリンクを介して送信できる。ＵＥ８０２が新しい追加ＰＤＮ接続を要求する場合には要求タイプは「初期要求」を示し、ＵＥ８０２が他のアクセスからのハンドオーバを実行しているとき及びＵＥ８０２がアクセスを介してＰＤＮとの接続を既に確立しているときは要求タイプは「ハンドオーバ」を示す。
【００６０】
ステップ３でＵＥのＰＤＮ  ＩＰアドレスがネットワークにより割り当てられる場合、ステップ５及びステップ１０は実行されないかも知れず、ＰａｒｔＡ又はＰａｒｔＢのステップ６〜９は、ステップ２とステップ３との間で実行されるだろう。
【００６１】
ステップ５で、ＵＥ８０２は、新たに生成されたＰ２Ｐリンクの中でＩＰ構成要求（必要な場合には、ＩＰｖ４  ＤＨＣＰ要求又はＩＰｖ６ルータ要請）を送信する。
【００６２】
ステップ６〜９で、ＴＷＡＧ８０６は、ＰＤＮ  ＧＷ８１０と相互作用して、３ＧＰＰ  ＥＰＣの中でＰＤＮコネクションの対応するＧＴＰ／ＰＭＩＰセグメントを構成する。（ＴＷＡＧ８０６とＰＤＮ  ＧＷ８１０との間のＧＴＰに基づくインタフェースでは）ＰａｒｔＡ又は（ＰＭＩＰに基づく場合には）ＰａｒｔＢが実行される。ＩＰｖ６では、ルータ要請は任意である。したがって、ステップ６は、ステップ４の完了（ＰＤＮコネクションのＰ２Ｐリンクの生成の完了）の結果としてトリガされる。
【００６３】
ステップ１０で、ＴＷＡＧ８０６は、このＰＤＮコネクションのために確立されたＰ２Ｐリンクを介してＩＰアドレス／プレフィックスを構成する。この点で、ＵＥ８０２は、このＰＤＮコネクションのトラフィックを送信／受信できる。
【００６４】
ＵＥ８０２は、別のＰＤＮコネクションを確立するために上述のシーケンス（ステップ２〜１０）を繰り返すことができる。ハンドオーバでは、要求タイプがハンドオーバに設定される点を除いて上述と同じシーケンスが使用される。留意すべきことに、一実施形態では、ＵＥ８０２とＴＷＡＧ８０６との間のＰＤＮコネクションのためにステップ２〜３で確立されたＰ２Ｐリンクは、ＩＰ上のトンネルであり得る。
【００６５】
ＰＤＮコネクション解放及び分離フローシーケンスは、ＷＬＡＮ制御シグナリングがＩＰレイヤトランスポートを介する点を除いて上述の手順と同様である。
【００６６】
図９は、本願明細書に開示の装置及び方法を実施するために使用され得る処理システム９００のブロック図である。特定の装置は、図示の全てのコンポーネントを、又はコンポーネントのうちの一部のみを用いても良く、統合のレベルは装置によって変わっても良い。さらに、装置は、複数の処理ユニット、プロセッサ、メモリ、送信機、受信機、等のようなコンポーネントの複数のインスタンスを有しても良い。処理システム９００は、スピーカ、マイクロフォン、マウス、タッチスクリーン、キーパッド、キーボード、プリンタ、ディスプレイ、等のような１又は複数の入力／出力装置を備えた処理ユニット９０１を有しても良い。処理ユニット９０１は、バスに接続されるＣＰＵ（central  processing  unit）９１０、メモリ９２０、大容量記憶装置９３０、ネットワークインタフェース９５０、Ｉ／Ｏインタフェース９６０、及びアンテナ回路９７０を有しても良い。処理ユニット９０１は、アンテナ回路に接続されるアンテナ要素９７５も有する。
【００６７】
バス９４０は、メモリバス又はメモリ制御部、周辺機器バス、ビデオバス、等を含む任意の種類の複数のバスアーキテクチャのうちの１又は複数であっても良い。ＣＰＵ９１０は、任意の種類の電子データプロセッサを有しても良い。メモリ９２０は、ＳＲＡＭ（static  random  access  memory）、ＤＲＡＭ（dynamic  random  access  memory）、ＳＤＲＡＭ（synchronous  DRAM）、ＲＯＭ（read-only  memory）、それらの組合せ、等のような任意の種類のシステムメモリを有しても良い。一実施形態では、メモリ９２０は、ブートアップで使用するＲＯＭ、プログラムの実行中に使用するプログラム及びデータ記憶のためのＤＲＡＭを有しても良い。
【００６８】
大容量記憶装置９３０は、データ、プログラム、及び他の情報を格納し及びデータ、プログラム、及び他の情報をバス９４０を介してアクセス可能にするよう構成される任意の種類の記憶装置を有しても良い。大容量記憶装置９３０は、例えば、固体ドライブ、ハードディスクドライブ、磁気ディスクドライブ、光ディスクドライブ、等のうちの１又は複数を有しても良い。
【００６９】
Ｉ／Ｏインタフェース９６０は、外部入力及び出力装置を処理ユニット９０１に結合するためのインタフェースを提供しても良い。Ｉ／Ｏインタフェース９６０は、ビデオアダプタを有しても良い。入力及び出力装置の例は、ビデオアダプタに結合されるディスプレイ、及びＩ／Ｏインタフェースに結合されるマウス／キーボード／プリンタを有しても良い。他の装置が処理ユニット９０１に結合されても良く、追加の又はより少ないインタフェースカードが利用されても良い。例えば、ＵＳＢ（Universal  Serial  Bus）のようなシリアルインターフェース（図示しない）は、プリンタのためのインタフェースを提供するために用いられても良い。
【００７０】
アンテナ回路９７０及びアンテナ要素９７５は、処理ユニット９０１がネットワークを介してリモートユニットと通信できるようにし得る。一実施形態では、アンテナ回路９７０及びアンテナ要素９７５は、ＬＴＥ（Long  Term  Evolution）、ＣＤＭＡ（Code  Division  Multiple  Access）、ＷＣＤＭＡ（登録商標）（Wideband  CDMA）、及びＧＳＭ（登録商標）（Global  System  for  Mobile  Communications）ネットワークのような無線ＷＡＮ（wide  area  network）への及び／又はセルラネットワークへのアクセスを提供する。幾つかの実施形態では、アンテナ回路９７０及びアンテナ要素９７５は、他の装置へのＢｌｕｅｔｏｏｔｈ（登録商標）及び／又はＷｉＦｉ接続を提供しても良い。
【００７１】
処理ユニット９０１は、ノード又は異なるネットワークにアクセスするためにＥｔｈｅｒｎｅｔ（登録商標）ケーブル等のような有線リンク及び／又は無線リンクを有しても良い１又は複数のネットワークインタフェース９５０を有しても良い。ネットワークインタフェース９０１は、処理ユニット９０１がネットワーク９８０を介してリモートユニットと通信できるようにする。例えば、ネットワークインタフェース９５０は、１又は複数の送信機／送信アンテナ及び１又は複数の受信機／受信アンテナにより無線通信を提供しても良い。一実施形態では、処理ユニット９０１は、データ処理、及び他の処理ユニット、インターネット、リモート記憶設備、等のようなリモート装置との通信のために、ローカルエリアネットワーク又はワイドエリアネットワークに結合される。
【００７２】
以下の参考文献は、本願の主題に関連する。この参考文献は、参照することによりその全体が本願明細書に組み込まれる。
［１］Arkko  and  Haverinen,  IETF  RFC  ４１８７,  Extensible  Authentication  Protocol  Method  for  ３rd  Generation  Authentication  and  Key  Agreement  (EAP-AKA)  (Jan.  ２００６)
本説明は詳細に記載されたが、種々の変更、置換及び修正が添付の請求の範囲により定められるように本開示の精神及び範囲から逸脱することなく行われうることが理解されるべきである。さらに、現在既存の又は後に開発される処理、機械、製造者、事項、手段、方法若しくはステップの組成が本願明細書に記載の対応する実施形態と実質的に同一の機能を実行できること又は実質的に同一の結果を達成できることを当業者が本開示から直ちに理解するように、本開示の範囲は本願明細書に記載された特定の実施形態に限定されるものではない。したがって、添付の請求の範囲は、処理、機械、製造者、事項、手段、方法又はステップの組成のようなそれらの範囲を包含するものとする。
【符号の説明】
【００７３】
１００  アーキテクチャ
１０２  アプリケーション／サービスレイヤ
１０４  ＵＥ
１０６  無線アクセスポイント（ＡＰ）
１０８  ＴＷＡＧ
【図１】
0006355705.tif 000002
【図２】
0006355705.tif 000003
【図３】
0006355705.tif 000004
【図４Ａ】
0006355705.tif 000005
【図４Ｂ】
0006355705.tif 000006
【図５Ａ】
0006355705.tif 000007
【図５Ｂ】
0006355705.tif 000008
【図６】
0006355705.tif 000009
【図７】
0006355705.tif 000010
【図８Ａ】
0006355705.tif 000011
【図８Ｂ】
0006355705.tif 000012
【図９】
0006355705.tif 000013